(57)【要約】【課題】容易に取り外しが可能であるとともに、積層にも好適なものとする。【解決手段】ともに複数の縦桟部２２及び横桟部３２を有し、道路又は床等の設置面Ｓに対して設けられた溝Ｄ１に対して配設される蓋（溝用蓋１０）であって、溝Ｄ１の長さ方向の端部である一対の長さ方向端部に位置する一対の横辺部３０のうち、溝Ｄ１の幅方向における中央部には、他方の横辺部３０に向かって窪んだ窪み部３５が形成されている。【選択図】    図２
2004324041.tif 000002
【特許請求の範囲】
【請求項１】
複数の桟部を有し、道路又は床等の設置面に対して設けられた溝に対して配設される蓋であって、
前記溝の長さ方向の端部である一対の長さ方向端部のうち、少なくとも一方の前記長さ方向端部には、他方の前記長さ方向端部に向かって窪んだ窪み部が形成されている、
溝用蓋。
【請求項２】
請求項１に記載の溝用蓋であって、
前記窪み部は、前記長さ方向端部のうち、前記溝の幅方向における中央部又はその近傍に形成されている、
溝用蓋。
【発明の詳細な説明】
【０００１】
【発明の属する技術分野】
本発明は、道路又は床等の設置面に対して設けられた溝に対して配設される蓋に関するものである。
【０００２】
【従来の技術】
従来の溝用蓋として、次のようなものがある。
その溝用蓋は、金属によって形成され、矩形状の枠部を有し、その枠部の内側に多数の横桟部（溝の幅方向に延びる桟部）及び複数の縦桟部（溝の長さ方向に延びる桟部）を有している（グレーチングと称されている）。
こうして、その溝用蓋は、全体として矩形状をしている。
そして、溝用蓋は、溝の長さ方向に沿って、相互に隣接した状態で多数配設される。
【０００３】
【発明が解決しようとする課題】
ところで、溝用蓋は、溝内の点検や清掃等のために、取り外す場合がある。
しかしながら、上記従来の溝用蓋は、矩形状をしており、その溝の長さ方向の各端部は溝の幅方向に直線状をしているため、溝の長さ方向に隣接する溝用蓋との間にはほとんど隙間がない。
このため、隣接する溝用蓋との隙間から作業者の手で当該溝用蓋を取り外すことはできない。
また、一の溝用蓋において、隣接する桟部（横桟部及び縦桟部）の間の隙間から作業者の手で当該溝用蓋を取り外そうとしても、特に、目の細かい（隣接する桟部との間の隙間が短い）溝用蓋の場合は、困難である。
【０００４】
そのため、桟部に係合するフックを用いて溝用蓋部が取り外される場合もある。
しかしながら、それでは、そのためのフックが別個必要になり、管理が煩雑となる。
【０００５】
また、上記従来の溝用蓋であって、枠部の内側に把持部が設けられたものも存在している。
把持部は、上辺部，下辺部及びそれらをつなぐ一対の縦辺部を有し、ほぼ矩形のリング状をしており、下降位置と上昇位置との間を上下動可能である。
そして、把持部は、通常時においては、その自重によって、上辺部（その上縁部）が横桟部及び縦桟部の上縁部とほぼ面一に位置する下降位置にあり、使用時には、上辺部が横桟部及び縦桟部よりも上方に位置し、下辺部が縦桟部（当該部分にのみ設けられた補助的な縦桟部）の下縁部に当接する上昇位置に位置する。
【０００６】
しかしながら、上記のように把持部が設けられた溝用蓋では、まず、その把持部を設けることによって、その分コスト高となる。
また、上述のように通常時においては把持部は自重によって下降位置にあり、把持部（上辺部）を把持するためには、その下降位置から把持部（上辺部）を若干上昇させる必要があり、その作業が困難である。
また、上述のように把持部が設けられた溝用蓋では、保管又は運送の際に、多数の溝用蓋を積層しようとすることについて、次のような欠点がある。すなわち、把持部が邪魔となって、その積層作業が困難であるとともに、把持部によって高さ方向のスペースがとられ、少量の溝用蓋のみしか積層できないのである。
【０００７】
そこで、本発明は、容易に取り外しが可能であるとともに、積層にも好適な溝用蓋を提供することを課題とする。
【０００８】
【課題を解決するための手段】
上記の課題を解決するために、請求項１に係る発明は、複数の桟部を有し、道路又は床等の設置面に対して設けられた溝に対して配設される蓋であって、前記溝の長さ方向の端部である一対の長さ方向端部のうち、少なくとも一方の前記長さ方向端部には、他方の前記長さ方向端部に向かって窪んだ窪み部が形成されている、溝用蓋である。
【０００９】
「設置面」には、道路に限らず、駐車場等の広場の地面や、厨房の床等の種々のものが適用され得る。
「窪み部」については、一対の長さ方向端部のうち、一方にのみ形成される場合と、両方に形成されている場合が考えられる。
【００１０】
この発明の溝用蓋では、溝の長さ方向において接触又は近接して隣接する他の溝用蓋との間において、窪み部によって隙間が生ずる。このため、作業者は、その隙間に手を入れることによって、当該溝用蓋を溝から容易に取り外すことができる。
また、高さ方向に突出する部材（従来における把持部等）を特に必要としないため、積載するにも好適である。
【００１１】
請求項２に係る発明は、請求項１に係る発明の溝用蓋であって、前記窪み部は、前記長さ方向端部のうち、前記溝の幅方向における中央部又はその近傍に形成されている、溝用蓋である。
【００１２】
この発明の溝用蓋では、請求項１に係る発明の溝用蓋の作用効果に加えて、次の作用効果が得られる。
すなわち、溝用蓋は、溝の幅方向においては、溝を構成する一対のほぼ鉛直（又は鉛直成分を有する）の内壁面の各上端部又はその近傍に位置する一対の載置部間に掛け渡されるように当該溝に対して配設されるが、その際に、この発明の溝用蓋では、窪み部が一対の載置部の間に位置することになる。
このため、前述のように窪み部によって形成される隙間に作業者が手を入れた際に、その手は、上記一対の載置部と干渉することがなく、さらに容易に当該溝用蓋を溝から取り外すことができる。
【００１３】
【発明の実施の形態】
［実施形態１］
次に、本発明の実施形態１について、図１及び図２に基づいて説明する。
この溝用蓋１０は、いわゆるグレーチングに該当するものであって、金属によって形成されている。
図１に示すように、この溝用蓋１０は、一対の縦辺部２０及び一対の横辺部３０を有しており、全体としてほぼ長方形状（矩形状）をしている。
図２に示すように、各縦辺部２０の長さ方向（縦方向）が溝Ｄ１の長さ方向に該当し、各横辺部３０の長さ方向（横方向）が溝Ｄ１の幅方向に該当する。
【００１４】
図１及び図２に示すように、各縦辺部２０は直線状に形成されており、各縦辺部２０には、つば部２４が形成されている。
各横辺部３０は、縦辺部２０と直角の（すなわち、溝Ｄ１の幅方向の）直線状の形状をベースとして、そのうちの中央部には窪み部３５が形成されている。窪み部３５は、内側方向（他方の横辺部３０）に向かって窪んでいる。
こうして、窪み部３５は、溝の長さ方向の端部である一対の長さ方向端部（その両方）のうち、中央部（溝Ｄ１の幅方向における中央部）に、他方の長さ方向端部に向かって窪むようにして形成されている。
【００１５】
両横辺部３０の間には、両横辺部３０（そのうちの窪み部３５を除く）と平行に、多数の横桟部３２が配設されている。
ほとんどの横桟部３２の各端部は、各縦辺部２０に接続されている。また、各窪み部３５の近傍の横桟部３２については、その一端部が縦辺部２０に接続され、他端部が窪み部３５（正確には、横辺部３０のうち窪み部３５を形成する部分）に接続されている。
【００１６】
両縦辺部２０の間には、両縦辺部２０と平行に、複数の縦桟部２２が配設されている。各縦桟部２２の各端部は、各横辺部３０に接続されている。
【００１７】
次に、この溝用蓋１０の使用方法及び作用効果について説明する。
図２に示すように、溝Ｄ１は、道路等の設置面Ｓに対して形成されている。溝Ｄ１は、例えば、コンクリート製のＵ字溝Ｂ１が、その長さ方向に多数配設されて形成されている。
【００１８】
そして、溝Ｄ１の長さ方向に沿って、多数の溝用蓋１０が相互に接触又は近接した状態で、溝Ｄ１に対して配設される。その際、Ｕ字溝Ｂ１の一対の縦板部Ｗ１（鉛直に延びる板部）の上面である載置部Ｐ１に、つば部２４が載置される。
【００１９】
上述のように配設された状態で、溝Ｄ１の長さ方向に隣接する２つの溝用蓋１０（横辺部３０）の間には、両溝用蓋１０の窪み部３５によって、隙間Ｃ１が生じている。
溝Ｄ１の幅方向においては、その隙間Ｃ１は、溝Ｄ１の一対の縦板部Ｗ１（載置部Ｐ１）の間に生じている。
そこで、作業者が手をその隙間Ｃ１に入れて、窪み部３５の近傍のうちの下面等を持ち上げるようにすることによって、溝用蓋１０を容易に取り外すことができる。
また、この溝用蓋１０では、従来の溝用蓋のような把持部を有していないため、積層するのにも適している。
【００２０】
［実施形態２］
次に、本発明の実施形態２について、実施形態１との相違点を中心に、図３〜図５に基づいて説明する。
図３に示すように、この溝用蓋１１０も、いわゆるグレーチングに該当するものであり、一対の縦辺部１２０及び一対の横辺部１３０を有し、全体としてほぼ長方形状（矩形状）をしている。
図３〜図５に示すように、この溝用蓋１１０においても、各横辺部１３０は、縦辺部１２０と直角の直線状の形状をベースとして、そのうちの中央部に窪み部１３５が形成されている。窪み部１３５は、枠部の内側方向（他方の横辺部１３０）に向かって窪んでいる。
【００２１】
この溝用蓋１１０においても、多数の横桟部１３２及び複数の縦桟部１２２が配設されている。
図３及び図５に示すように、各縦辺部１２０の近傍の下部には、かさ上げ部１２４が固定されている。かさ上げ部１２４は、縦辺部１２０に沿って延びる四角パイプ状に形成されている。
【００２２】
次に、この溝用蓋１１０の使用方法及び作用効果について説明する。
図５に示すように、溝Ｄ２は、道路等の設置面Ｓに対して形成されている。溝Ｄ２は、例えば、コンクリート製のＵ字溝Ｂ２が、その長さ方向に多数配設されて形成されている。Ｕ字溝Ｂ２の一対の縦板部Ｗ２（ほぼ鉛直に延びる板部）のうちの上部には、各々、肩部状の載置部Ｐ２が設けられている。
【００２３】
図４及び図５に示すように、溝Ｄ２の長さ方向に沿って、多数のコンクリート製の溝用蓋５１０の中に溝用蓋１１０が混在するように、コンクリート製の溝用蓋５１０及び溝用蓋１１０が配設される。
すなわち、溝Ｄ２の長さ方向に、数個〜数十個のコンクリート製の溝用蓋５１０が連続して配設され、その次に１つの溝用蓋１１０が配設され、次に数個〜数十個のコンクリート製の溝用蓋５１０が連続して配設され、…が繰り返されるようにして、配設される。
コンクリート製の溝用蓋５１０は、鉄筋を内在するコンクリートによってほぼ長方形板状（矩形板状）に形成され、その長さ方向（溝Ｄ２の長さ方向）の一端部又は両端部には窪み部５３５が形成されている（図中には一端部に形成されている場合を示す）。
【００２４】
コンクリート製の溝用蓋５１０は、一対の縦板部Ｗ２の各載置部Ｐ２に載置される。溝用蓋１１０も、かさ上げ部１２４において各載置部Ｐ２に載置される。コンクリート製の溝用蓋５１０同士、及び、コンクリート製の溝用蓋５１０と溝用蓋１１０とは、溝Ｄ２の長さ方向に沿って、相互に接触又は近接した状態で、溝Ｄ２に対して配設される。
【００２５】
上述のように配設された状態で、溝Ｄ２の長さ方向に隣接する溝用蓋１１０（横辺部１３０）とコンクリート製の溝用蓋５１０との間には、溝用蓋１１０の窪み部１３５及びコンクリート製の溝用蓋５１０の窪み部５３５によって、又は、溝用蓋１１０の窪み部１３５のみによって、隙間Ｃ２が生じている。
そこで、作業者が手をその隙間Ｃ２に入れて、窪み部１３５の近傍のうちの下面等を持ち上げるようにすることによって、溝用蓋１１０を容易に取り外すことができる。
【００２６】
また、この溝用蓋１１０にはかさ上げ部１２４が設けられているため、次の作用効果が得られる。すなわち、コンクリート製の溝用蓋５１０は、溝用蓋１１０（かさ上げ部１２４を除いた状態）よりも肉厚である。このため、かさ上げ部１２４がないと、溝用蓋１１０の部分のみ、その上面が他の部分（コンクリート製の溝用蓋５１０の部分）より下方に凹んだ状態となってしまう。
しかしながら、この溝用蓋１１０にはかさ上げ部１２４が設けられているため、そのようなことがなく、溝用蓋１１０の上面とコンクリート製の溝用蓋５１０の上面とがほぼ面一状態となる。
【００２７】
［実施形態３］
次に、本発明の実施形態３について、実施形態２との相違点を中心に、図６に基づいて説明する。共通する要素については同一の符号を付して説明を省略する。
【００２８】
この溝用蓋２１０は、実施形態２の溝用蓋１１０の変形例であり、実施形態２の溝用蓋１１０と同様に、一対の縦辺部１２０及び一対の横辺部１３０を有し、多数の横桟部１３２及び複数の縦桟部１２２を有している。
【００２９】
この溝用蓋２１０では、一方の横辺部１３０においてのみ、縦辺部１２０と直角の直線状の形状をベースとして、そのうちの中央部に窪み部１３５が形成されており、他方の横辺部１３０は、縦辺部１２０と直角の直線状をしている。
そして、図６に示すように、実施形態２の溝用蓋１１０とほぼ同様に使用される。
【００３０】
なお、上記のものはあくまで本発明の数例の実施形態にすぎず、当業者の知識に基づいて種々の変更を加えた態様で本発明を実施できることはもちろんである。
【００３１】
例えば、実施形態１についても、その変形例として、窪み部が一方の横辺部にのみ形成されているものが考えられる。
また、各実施形態において、窪み部は、曲線状に形成されていてもよい。
また、桟部は、上記実施形態の横桟部及び縦桟部のように縦横に直角状に直線状に設けられている場合に限らず、斜めに形成されていたり、曲線状に形成されていてもよい。
【図面の簡単な説明】
【図１】本発明の実施形態１の溝用蓋を示す図である。（ａ）は平面図であり、（ｂ）は正面図である。
【図２】本発明の実施形態１の溝用蓋の使用状態を示す断面斜視図である。
【図３】本発明の実施形態２の溝用蓋を示す図である。（ａ）は平面図であり、（ｂ）は正面図である。
【図４】本発明の実施形態２の溝用蓋の使用状態を示す平面図である。
【図５】本発明の実施形態２の溝用蓋の使用状態を示す断面斜視図である。
【図６】本発明の実施形態２の溝用蓋の使用状態を示す平面図である。
【符号の説明】
１０，１１０，２１０  溝用蓋
２０，１２０  縦辺部
２２，１２２  縦桟部（桟部）
３０，１３０  横辺部
３２，１３２  横桟部（桟部）
３５，１３５  窪み部
Ｄ１，Ｄ２  溝
Ｓ  設置面
【図１】
2004324041.tif 000003
【図２】
2004324041.tif 000004
【図３】
2004324041.tif 000005
【図４】
2004324041.tif 000006
【図５】
2004324041.tif 000007
【図６】
2004324041.tif 000008